(57)【要約】【課題】  的確に盗撮を防止することが可能な手段を有するカメラ機能付き携帯電話機を提供する。【解決手段】  カメラ機能付き携帯電話機に設けられた盗撮防止機能部は、ユーザによるカメラ起動ボタンの押下を監視しており（ステップＳ１）、カメラ起動ボタンが押下されると、カメラ撮影モード中であることを周囲に知らせるための音声案内を着信報知用のスピーカ等を介して周囲に聞こえる音量で報知する動作を行う（ステップＳ２）。ユーザが撮影ボタンを押下すると（ステップＳ３）撮影動作が行われ、その際にシャッター音を発生する（ステップＳ４）。次に撮影画像の登録処理が選択されたか否かを監視し（ステップＳ５）、画像登録を選択するボタンが押下された場合は撮影された画像の登録処理を行う（ステップＳ６）。【選択図】  図２
2005136921.tif 000002
【特許請求の範囲】
【請求項１】
カメラ起動ボタンの押下を監視し、カメラ起動ボタンが押下されたことを検出して、盗撮防止動作を起動する盗撮防止機能部を備えたデジタルカメラ機能付携帯電話端末であって、
前記盗撮防止機能部は、カメラ起動ボタンの押下または撮影モードへの復帰指示を検出してカメラ撮影モードを設定し、該カメラ撮影モード設定時点から撮影ボタンが押下されるまでの間、周期的に撮影モード中であることを周囲に知らせる音声案内を行う機能を有していることを特徴とするデジタルカメラ機能付携帯電話端末。
【請求項２】
前記盗撮防止機能部は、当該携帯電話端末が外部から撮影禁止または解除信号を受信したとき、該受信信号に基づいて前記カメラの起動を強制的に禁止または解除する機能を有していることを特徴とする請求項１に記載のデジタルカメラ機能付携帯電話端末。
【請求項３】
前記盗撮防止機能部は、撮影時のカメラと被写体との距離および撮影時の携帯電話端末の傾きを測定する機能と、測定された前記撮影時の携帯電話端末の傾きと被写体との距離を、予め設定された判定基準と比較して盗撮か否かを判定する機能と、盗撮と判定されたときに撮影された画像の登録動作への移行を禁止して強制的に終了させる機能とを有していることを特徴とする請求項１または２に記載のデジタルカメラ機能付携帯電話端末。
【請求項４】
前記盗撮防止機能部は、前記カメラにより撮影された画像の登録処理が選択されたことを検出したとき、強制的にインターネットに接続して前記撮影画像をサーバに送信して保存させる処理を実行する機能を有していることを特徴とする請求項１〜３のいずれかに記載のデジタルカメラ機能付携帯電話端末。
【請求項５】
撮影画像の管理を行うとともに画像認識ソフトウェアが格納された記憶媒体を備え、前記盗撮防止機能部は、前記カメラにより撮影された画像の登録処理が選択されたことを検出したとき、前記記憶媒体に格納されている画像認識ソフトウェアによる画像認識処理を実行することにより盗撮画像であるか否かを判定する機能と、盗撮画像でないと判定されたとき前記画像の登録処理を行う機能と、盗撮画像と判定されたとき前記画像の登録処理を行わずに強制終了する機能とを有していることを特徴とする請求項１〜３のいずれかに記載のデジタルカメラ機能付携帯電話端末。
【請求項６】
カメラ起動ボタンの押下を監視し、カメラ起動ボタンが押下されたことを検出して、盗撮防止動作を起動する盗撮防止機能部を備えたデジタルカメラ機能付携帯電話端末であって、
前記盗撮防止機能部は、前記カメラにより撮影された画像の登録処理が選択されたことを検出したとき、強制的にインターネットに接続して前記撮影画像をサーバに送信して保存させる処理を実行する機能を有していることを特徴とするデジタルカメラ機能付携帯電話端末。
【請求項７】
カメラ起動ボタンの押下を監視し、カメラ起動ボタンが押下されたことを検出して、盗撮防止動作を起動する盗撮防止機能部と、撮影画像の管理を行うとともに画像認識ソフトウェアが格納された記憶媒体とを備えたデジタルカメラ機能付携帯電話端末であって、
前記盗撮防止機能部は、前記カメラにより撮影された画像の登録処理が選択されたことを検出したとき、前記記憶媒体に格納されている画像認識ソフトウェアによる画像認識処理を実行することにより盗撮画像であるか否かを判定する機能と、盗撮画像でないと判定されたとき前記画像の登録処理を行う機能と、盗撮画像と判定されたとき前記画像の登録処理を行わずに強制終了する機能とを有していることを特徴とするデジタルカメラ機能付携帯電話端末。
【請求項８】
前記盗撮防止機能部は、撮影時のカメラと被写体との距離および撮影時の携帯電話端末の傾きを測定する機能と、測定された前記撮影時の携帯電話端末の傾きと被写体との距離を、予め設定された判定基準と比較して盗撮か否かを判定する機能と、盗撮と判定されたときに撮影された画像の登録動作への移行を禁止して強制的に終了させる機能とを有していることを特徴とする請求項６または７に記載のデジタルカメラ機能付携帯電話端末。
【請求項９】
盗撮防止機能部を備えたデジタルカメラ機能付携帯電話端末と、インターネットに接続され、前記デジタルカメラ機能付携帯電話端末から送信された撮影画像を保存するサーバとからなる撮影画像管理システムであって、
前記盗撮防止機能部は、前記カメラにより撮影された画像の登録処理が選択されたことを検出したとき、強制的にインターネットに接続して前記撮影画像をサーバに送信して保存させる処理を実行する機能を有しており、
前記サーバは、前記デジタルカメラ機能付携帯電話端末から送信された撮影画像が盗撮画像か否か判断する画像認識機能と、前記送信された送信画像が盗撮画像であると判断したとき該送信画像を削除する機能を有していることを特徴とする撮影画像管理システム。
【発明の詳細な説明】
【技術分野】
【０００１】
本発明は、カメラ付の携帯電話機に関し、特に盗撮防止機能を付加したデジタルカメラ機能付携帯電話端末に関する。
【背景技術】
【０００２】
最近発売されている携帯電話機の多くにはデジタルカメラ機能が備えられており、ユーザはいつでも、どこでも手軽に携帯電話機付属のカメラにより撮影をすることが可能となっている。しかしその手軽さ、便利さを悪用して、盗撮の問題も生じている。また、カメラ自体の性能が上がり多少の距離があってもズーム機能を用いれば詳細な撮影ができること、またＳＤカード等のような記憶媒体が装着でき登録枚数を気にしなくてもよいことなどが盗撮をさらに行いやすい状況を作り出している。
【０００３】
このようなカメラ機能付携帯電話機による盗撮を抑制するために、現在発売されているカメラ機能付携帯電話機では、例えば、撮影時に撮影表示用のＬＥＤ等を点灯する機能、あるいは、ユーザが撮影時にシャッターを押すとそれに連動してシャッター音を発生させることにより周囲に撮影動作が行われたことを知らせる機能等が付加されているものがある。しかし、これらの方法では、盗撮時に撮影表示用のＬＥＤを隠すことが可能であり、また、例えば電車内等の周囲雑音が大きい場所ではシャッター音が周囲雑音で掻き消されてしまって防止機能として役に立たないこともある。さらに一旦撮影されると、それ以後の画像登録や編集などはユーザの自由のままである。
【０００４】
またカメラ機能付携帯電話機による盗撮を阻止する技術として、特許文献１では、カメラ付携帯電話機を折り畳み式構成とし、装置を所定角度以上開いた状態としなければ撮影できないようにするとともに、撮影不可状態で撮影を行うと警告音が鳴って撮影失敗を知らせる一方、撮影と同時にサブディスプレイを発光させて撮影動作が行われたことを周辺の人々に報知する方法が提案されており、特許文献２では、カメラ機能付携帯電話機に傾きセンサを設け、シャッターボタンが押されたときのカメラ機能付携帯電話機の傾き角度が予め設定されている不自然な角度範囲内にある場合には、シャッター操作を無効にして、警告音等を発生する方法が提案されている。
【０００５】
また、特許文献３では、警備上や権利上の問題から撮影が禁止されている場所あるいは領域に制御信号を送信する無線装置を備え、カメラ機能付携帯電話機がこの無線装置からの制御信号を受信した場合には、映像情報の生成・出力動作、送信動作、あるいは蓄積動作等の映像取得動作の実行を規制する技術が提案されている。
【０００６】
【特許文献１】特開２００２−３０５５６６号公報
【特許文献２】特開２００２−２９０８１８号公報
【特許文献３】特開２０００−１５２２１７号公報
【発明の開示】
【発明が解決しようとする課題】
【０００７】
特許文献１または２に記載の方法では、カメラ機能付携帯電話機が所定の状態にあるときには一律に撮影禁止状態となり、それ以外の場合には一律に撮影可能となるため、例えば、特許文献１に記載のカメラ機能付携帯電話機において、折り畳み式の筐体を完全に開いた状態で盗撮が行われた場合には、撮影を阻止することができず、また、特許文献２に記載のカメラ機能付携帯電話機の場合、その傾き角度が盗撮防止のために予め設定された角度範囲内において正常な撮影を行う必要がある場合にも撮影が不可能となり、一方、その傾き角度が盗撮防止のために予め設定された角度範囲外において盗撮行為が行われた場合にそれを阻止することができない等の問題がある。
【０００８】
また、特許文献３に記載の方法は、盗撮行為を防止する手段として有効であるが、撮影が禁止されている場所あるいは領域内に撮影禁止信号を無線により送信する無線装置を備える必要があり、装置が大掛りとなる。また、撮影禁止領域以外での盗撮行為は制限することができないという問題がある。
【０００９】
本発明の目的は、上記問題点に鑑み、従来のシャッター音等を発生させる曖昧な盗撮抑制対策よりは有効であって、かつ的確に盗撮を防止することを可能にする比較的簡単な手段を提供することにある。
【課題を解決するための手段】
【００１０】
本発明のカメラ機能付携帯電話機は、カメラ起動ボタンの押下を監視し、カメラ起動ボタンが押下されたことを検出して、盗撮防止動作を実行する盗撮防止機能部を備え、該盗撮防止機能部が、カメラ起動ボタンの押下または撮影モードへの復帰指示を検出してカメラ撮影モードを設定し、該カメラ撮影モード設定時点から撮影ボタンが押下されるまでの間、周期的に撮影モード中であることを周囲に知らせる音声案内を行う機能を有していることを特徴とする。
【００１１】
また本発明のカメラ機能付携帯電話機は、カメラ起動ボタンの押下を監視し、カメラ起動ボタンが押下されたことを検出して、盗撮防止動作を起動する盗撮防止機能部を備え、該盗撮防止機能部が、前記カメラにより撮影された画像の登録処理が選択されたことを検出したとき、強制的にインターネットに接続して前記撮影画像をサーバに送信して保存させる処理を実行する機能を有していることを特徴とする。
【００１２】
また本発明のカメラ機能付携帯電話機は、カメラ起動ボタンの押下を監視し、カメラ起動ボタンが押下されたことを検出して、盗撮防止動作を起動する盗撮防止機能部と、撮影画像の管理を行うとともに画像認識ソフトウェアが格納された記憶媒体とを備え、前記盗撮防止機能部は、前記カメラにより撮影された画像の登録処理が選択されたことを検出したとき、前記記憶媒体に格納されている画像認識ソフトウェアによる画像認識処理を実行することにより盗撮画像であるか否かを判定する機能と、盗撮画像でないと判定されたとき前記画像の登録処理を行う機能と、盗撮画像と判定されたとき前記画像の登録処理を行わずに強制終了する機能とを有していることを特徴とする。
【発明の効果】
【００１３】
本発明では、撮影時のＬＥＤの発光あるいはシャッター音の発生等の曖昧な防止ではなく、携帯電話内部に盗撮防止機能部を設けカメラ起動から撮影ボタンが押されるまでの間にカメラ撮影モード中であることを周囲に知らせる音声案内を流す制御を行うことにより、カメラ撮影を行っていることを明確に伝達して周囲の目を気にさせることで、より的確に撮影前の段階で盗撮防止を可能にすることができる。
【００１４】
また本発明の他の実施形態では、携帯電話内部の盗撮防止機能部が、撮影画像の登録処理前に画像認識処理を行う制御を実行することにより、ユーザが画像登録を行う前に的確に盗撮を防止することができる。
【発明を実施するための最良の形態】
【００１５】
図１は、本発明のカメラ機能付携帯電話機の実施形態を示すブロック図である。
【００１６】
本実施形態のカメラ機能付携帯電話機は、従来技術と同様な機能を有するマイク１、スピーカ２、変調部３、復調部４、送信部５、受信部６、共用部７、アンテナ８、制御部９、ＣＰＵ１０、カメラ１２と、本発明の特徴である盗撮防止機能部１１、および記憶媒体（例えばＳＤカード等）１２より構成されている。
【００１７】
盗撮防止機能部１１および記憶媒体１２は、本実施形態のカメラ機能付携帯電話機による撮影動作がユーザによって起動された場合に、以下に示すような盗撮防止ための各種制御を実行する機能を有するものであり、そのための制御プログラム等が格納されている。
【００１８】
図２は、本実施形態の動作を示すフローチャートである。以下、図１〜図２を参照して本実施形態の動作について説明する。
【００１９】
盗撮防止機能部１１は、ユーザによるカメラ起動ボタンの押下を監視しており（ステップＳ１）、カメラ起動ボタンが押下されると、現在カメラ撮影モード中であることを周囲に報知する音声案内を実行する（ステップＳ２）。音声案内としては、例えば携帯電話機内蔵の着信報知用のスピーカを用いて「これから撮影を開始します」等の内容を周囲に聞こえる音量で報知する。
【００２０】
この音声案内は、撮影ボタンが押下される次のステップが実行されるまで所定周期で繰り返し報知される。またこの音声案内は、カメラ撮影モード中であることを周囲に知らせることにより、盗撮を防止することをその目的としている為、ユーザ設定において任意に消音することやボリュームを変更することはできない。
【００２１】
また、ユーザが選べるいくつかの音声案内モードを用意することができる。例えばセルフタイマーモードを設定することにより、セルフタイマーモードが選択された場合には、「１０秒後にシャッターを押します。  １０、９、・・・、１、ハイ、チーズ」のような音声案内を行わせた後、自動的に撮影ボタンを押下するように動作させることによって、音声セルフタイマーとして使用することも可能である。
【００２２】
次に、ユーザが撮影ボタンを押下すると（ステップＳ３）撮影動作が行われ、その際に従来技術と同様のシャッター音を発生する（ステップＳ４）。次に撮影画像の登録処理が選択されたか否かを監視し（ステップＳ５）、画像登録を選択するボタンが押下された場合は撮影された画像の登録処理へ進む（ステップＳ６）。画像登録処理した後、または画像登録を行わないことが選択された場合には撮影モードに戻るか否かを監視する（ステップＳ７）。
【００２３】
ユーザから撮影モードに戻らずに終了する指示があった場合はカメラ起動を終了し、再度カメラ起動ボタンが押下されるのを待つ（ステップＳ１）。一方、ユーザから撮影モードに戻る指示があったときには、再度、カメラ撮影モード中であることを周囲に知らせるための音声案内を着信報知用のスピーカ等を介して周囲に報知する動作を実行する（ステップＳ２）。
【００２４】
図３は、本発明の第２の実施形態を示す動作フローチャートである。
【００２５】
本実施形態では、特定状況下（撮影禁止領域等）においてカメラ起動を強制的に禁止させることを特徴としており、そのため、本実施形態のカメラ機能付携帯電話機では、撮影禁止領域において送信される禁止信号を受信したときにカメラ起動を禁止する機能が付加されている。以下、図３を参照して本実施形態の動作について説明する。
【００２６】
盗撮防止機能部１１は、撮影禁止領域等の特定状況下であるか否かを判定する処理（ステップＳ１）が常に作動しており、撮影禁止信号等を受信した特定の状況下と判断した場合にはカメラ起動を強制的に禁止する（ステップＳ２）。その後、特定の状況下から脱した場合にはカメラ起動が可能となり（ステップＳ３）、以降、図２に示す動作フローが実行される。
【００２７】
上記特定の状況とは、コンサート会場、本屋、電車の中、遊技場などの撮影禁止あるいは盗撮が行われやすい場所において、その出入り口に設けられたゲート等を通過した時に特定の信号（撮影禁止または解除信号）を受信した状況であり、この信号を受信したカメラ機能付携帯電話機に設けられたカメラ起動判定回路が作動して、自動的にカメラの起動制御を行う。ゲートと携帯端末間における特定の信号の送受信手段としては、ＢｌｕｅＴｏｏｔｈ、Ｉｒ、非接触型認証システム等を用いることができる。
【００２８】
本実施形態では、特定領域においては、カメラ起動自体を制御するため確実に盗撮防止が図られる。また、ゲートと携帯電話端末間の特定信号を共通仕様化することで数多い携帯端末の各機種に対応することも可能である。
【００２９】
また、コンサート会場や電車の中の場合には、現状の携帯電話を利用したチケットや定期券の認証システムを流用させることも可能である。すなわち、インターネットでチケット販売サイトにアクセスして入手した電子チケット（バーコード）を携帯電話の画面に表示させ、チケット代わりに携帯電話を差し出してバーコードスキャナ等で読み取ることにより入場認証を行う際にカメラの起動制御も行わせることが可能である。
【００３０】
図４は、本発明の第３の実施形態を示す動作フローチャートである。
【００３１】
本実施形態では、撮影した画像の登録において、従来のように携帯端末内部に保存するのではなく、インターネットに接続してサーバに保存し、そこで画像認識処理を行うことにより盗撮画像であるか否かを判断して、盗撮防止を図ることを特徴とする。以下、図４を参照して本実施形態の動作について説明する。
【００３２】
盗撮防止機能部１１は、ユーザによるカメラ起動ボタンの押下を監視し（ステップＳ１）、カメラ起動ボタンが押下されると、次にユーザによる撮影ボタンの押下を監視する（ステップＳ２）。ユーザが撮影ボタンを押下すると撮影動作が行われ、その際に従来技術と同様のシャッター音を発生する（ステップＳ３）。次に画像登録の選択を監視する（ステップＳ４）。
【００３３】
撮影画像の登録が選択された場合には、強制的にインターネットに接続して撮影画像をサーバに保存する（ステップＳ５）。従って、撮影画像の保存先はサーバになる。画像がサーバに送信されて登録された後、または画像登録を行わないことが選択された場合には、撮影モードに戻るか否かを監視する（ステップＳ６）。
【００３４】
ユーザから撮影モードに戻らずに終了する指示があった場合はカメラ起動を終了し、再度カメラ起動ボタンが押下されるのを待つ（ステップＳ１）。一方、ユーザから撮影モードに戻る指示があったときには、再度、ユーザによる撮影ボタンの押下を監視するステップＳ２にもどる。
【００３５】
本実施形態では、ユーザの撮影した画像はすべてサーバが保管することになり、サーバ側で画像認識を用いて盗撮画像か否か判断する。サーバで盗撮画像と判断された場合は削除されるため、ユーザが撮影後にサーバにアクセスしても画像を閲覧できない。またサーバで撮影画像の登録や認識を行うため、画像認識のような重い処理も高速に行うことができ、容量が大きいデータの扱いも問題ない。また盗撮画像と判定する画像認識ソフトもそのつど最適なものにバージョンアップ対応可能でユーザ側では特に意識することはない。
【００３６】
また、上記サーバ側での画像認識ではいろいろな判断基準が用意される。例えば、本などの盗撮では文字画像が数枚続くため、文字コードとのパターンマッチングを行うことで判定することができ、人物の盗撮の場合では被写体の目がカメラ方向を向いていない場合や顔が写されていない場合が数枚続くため、画像認識で目の位置などのマッチングを行うことで判定することができる。
【００３７】
本実施形態の盗撮防止方法では、サーバ側で数多くの盗撮判断基準を設けることができ、高速に判別し盗撮画像と判断されたものは削除する等により、ユーザは盗撮画像を手に入れることができなくなるため確実な盗撮防止方法となる。
【００３８】
図５は、本発明の第４の実施形態を示す動作フローチャートである。
【００３９】
上記第３の実施形態においては、撮影画像の登録先はサーバであるためユーザの立場からすると画像の登録、閲覧、ダウンロードの度にインターネットに接続する為の通信料が発生することになる。そこで本実施形態では、撮影した画像は携帯端末内部に登録・保存し、携帯端末内にインストールされた画像認識ソフトにより、盗撮判断処理を実行することにより、その問題を解決することを特徴とする。
【００４０】
また、携帯端末内部で画像認識を行うと画像認識ソフトのバージョン管理に問題がでるが、本実施形態では、図１における記憶媒体１３で画像認識処理をおこなうことでこの問題を解決することができる。以下、図５を参照して本実施形態の動作について説明する。
【００４１】
図１の盗撮防止機能部１１は、ユーザによるカメラ起動ボタンの押下を監視し（ステップＳ１）、カメラ起動ボタンが押下されると、次にユーザによる撮影ボタンの押下を監視する（ステップＳ２）。ユーザが撮影ボタンを押下すると撮影動作が行われ、その際に従来技術と同様のシャッター音を発生する（ステップＳ３）。次に画像登録が選択されたか否かを監視し（ステップＳ４）、画像登録を行わないことが選択された場合には、撮影モードに戻るか否かを監視する（ステップＳ９）。
【００４２】
一方、撮影した画像の登録が選択された場合には、画像認識ソフトのバージョンチェックが行われる（ステップＳ５）。盗撮防止機能部１１には、上記画像認識ソフトの最新バージョン情報が記憶され、記憶媒体１３に入っている画像認識ソフトが最新であるかバージョンチェックを行う。ここでバージョンが最新のものでないと判断されるとユーザ側にその旨メッセージが流れ（ステップＳ１０）強制終了となる。
【００４３】
なお、画像認識ソフトのバージョン情報はユーザがインターネット接続した場合やメールの送受信等でセンターと交信した際に（ユーザが特に意図しなくとも）強制的に最新の画像認識ソフトのバージョン情報が携帯端末内部に記憶されるように構成することができる。
【００４４】
ステップＳ５で、画像認識ソフトが最新であった場合には、盗撮防止機能部１１から記憶媒体１３に許可信号が出て、記憶媒体１３にて画像認識処理が行われる（ステップＳ６）。その後盗撮画像であるか否かの判定に進み（ステップＳ７）、盗撮画像でなければ画像登録処理に進む（ステップＳ８）。盗撮画像と判定された場合には、画像登録は行われずに強制終了となる。
【００４５】
本実施形態では、図１の記憶媒体１３を用いて画像認識処理を行う構成としているので、画像認識などの大容量の処理を行う際に容量を気にすることなく実行することができ、携帯電話端末を数台持つようなユーザにとっては記憶媒体を差し替えることで、簡単に盗撮防止機能に対応することが可能となる。
【００４６】
図６は、本発明の第５の実施形態を示す動作フローチャートである。
【００４７】
本実施形態では、第３または第４の実施形態において、撮影された画像の認識を行う以前に、盗撮であるか否かを、撮影時のカメラ（レンズ）と被写体との距離、撮影時の携帯電話端末の傾き（レンズの向き）を測定することにより判定し、盗撮と判定されたものについては、撮影画像に対する画像認識処理を行うことなく、画像登録を行わずに強制終了させることによって、的確な盗撮防止を行うとともに、画像認識処理負担の軽減を図るものである。以下、図６を参照して本実施形態の動作について説明する。
【００４８】
カメラ撮影が起動されると（ステップＳ１）、盗撮防止機能部１１の盗撮監視機能が作動する（ステップＳ２）。ユーザが撮影ボタンを押下する（ステップＳ３）と撮影動作が行われ、その際に従来技術と同様のシャッター音を発生する（ステップＳ４）。
【００４９】
盗撮監視機能では、撮影時のカメラ（レンズ）と被写体との距離および撮影時の携帯電話端末の傾き（レンズの向き）を測定する。盗撮の場合、撮影ボタンの押下時における被写体とレンズとの距離が近く、撮りにくい角度から撮影するということで通常の撮影では起こらない距離、傾きにより撮影されることが多いので、そのような距離および傾きの範囲を予め判定基準として設定しておき、盗撮であるか否かを判断する。
【００５０】
測定した撮影時の携帯電話端末の傾きと被写体との距離を、それぞれ判定基準と比較して、盗撮と判断された場合（ステップＳ５）は撮影モードを強制的に終了するとともに、撮影された画像の登録を禁止する。盗撮と判断されなかったものについては、第３または第４の実施形態の登録動作に移行する。
【００５１】
本実施形態では、新たな盗撮防止のパラメータを設けるのではなく、従来の撮影の中で距離と傾きの２つのパラメータを測定し、それを判断基準に利用する為、比較的簡単な方法で実現でき、盗撮と判断されたものは強制的に画像登録できないようにしているため、その後の登録動作における画像認識処理負担を軽減することができ、的確な防止対策となる。
【００５２】
なお、本実施形態では、盗撮防止機能部１１の盗撮監視機能を第３または第４の実施形態と組み合わせているが、第１あるいは第２の実施形態と組み合わせることも可能である。さらに、第１〜第５の実施形態の中で、適宜の実施形態を組み合わせることも可能である。
【図面の簡単な説明】
【００５３】
【図１】本発明のカメラ機能付携帯電話機の実施形態を示すブロック図である。
【図２】本発明の第１の実施形態を示す動作フローチャートである。
【図３】本発明の第２の実施形態を示す動作フローチャートである。
【図４】本発明の第３の実施形態を示す動作フローチャートである。
【図５】本発明の第４の実施形態を示す動作フローチャートである。
【図６】本発明の第５の実施形態を示す動作フローチャートである。
【符号の説明】
【００５４】
１  マイク
２  スピーカ
３  変調部
４  復調部
５  送信部
６  受信部
７  共用部
８  アンテナ
９  制御部
１０  ＣＰＵ
１１  盗撮防止機能部
１２  カメラ
１３  記憶媒体
【図１】
2005136921.tif 000003
【図２】
2005136921.tif 000004
【図３】
2005136921.tif 000005
【図４】
2005136921.tif 000006
【図５】
2005136921.tif 000007
【図６】
2005136921.tif 000008